(57)【要約】【課題】  従来のデジタルカメラでは、フラッシュ禁止の場所で撮影する場合、デジタルカメラのフラッシュの発光が禁止される設定になっても、デジタルカメラの背面モニタなどから光が漏れてしまう。【解決手段】  デジタルカメラ１では、図２、Ｓ１で手動により、または、図３、Ｓ１８で自動により行われる設定手段の暗時フラッシュ禁止モードの設定に応じて、発光制御手段により、フラッシュ３２および所定の発光部の発光を禁止させる制御が、図２、Ｓ２または図３、Ｓ１９で行われる。このため、フラッシュ禁止で、かつ、ファインダー１６から覗いての撮影しか認められないような撮影条件の厳しい場所であっても、デジタルカメラ１からの発光が可能な限り抑えられるので、デジタルカメラ１を用いた撮影を気兼ねなく、思った通りに行えるようになる。【選択図】  図２
2011109497.tif 000002
【特許請求の範囲】
【請求項１】
被写体像を撮像する撮像手段と、
前記撮像手段により被写体像を撮像する時に被写体を照明する光源と、
前記光源および前記光源以外の光を発する所定の発光部の発光を禁止させる設定をする設定手段と、
前記設定手段の設定に応じて前記光源および前記所定の発光部の発光を禁止させる制御を行う発光制御手段と
を備える撮影装置。
【請求項２】
請求項１に記載の撮影装置において、
前記発光制御手段は、予め登録された所定の画像と前記撮像手段により撮像される画像とが一致した場合に前記制御を行う
ことを特徴とする撮影装置。
【請求項３】
請求項１または請求項２に記載の撮影装置において、
音声を集音する集音手段を備え、
前記発光制御手段は、予め登録された所定の情報と前記集音手段により集音される音声の情報とが一致した場合に前記制御を行う
ことを特徴とする撮影装置。
【請求項４】
請求項１から請求項３のいずれか１項に記載の撮影装置において、
測位用衛星から測位信号を受信して測位する測位手段を備え、
前記発光制御手段は、予め登録された位置情報と前記測位手段により測位された位置情報とが一致した場合に前記制御を行う
ことを特徴とする撮影装置。
【請求項５】
請求項１から請求項４のいずれか１項に記載の撮影装置において、
周囲の明るさを測定する測光部を備え、
前記発光制御手段は、前記測光部により測定される明るさが所定値以下の場合に前記制御を行う
ことを特徴とする撮影装置。
【請求項６】
請求項５に記載の撮影装置において、
前記測光部により測定される明るさに応じた撮影条件を設定する撮影条件設定手段を備える
ことを特徴とする撮影装置。
【請求項７】
請求項１から請求項６のいずれか１項に記載の撮影装置において、
前記撮像手段により撮像される被写体像を表示する表示手段を備え、
前記設定手段による前記設定が解除された場合に、前記発光制御手段による前記制御が行われた状態において前記撮像手段によって撮像された画像を前記表示手段に表示させる表示制御手段を備える
ことを特徴とする撮影装置。
【請求項８】
請求項７に記載の撮影装置において、
前記表示制御手段は、前記画像を前記表示手段に一覧表示し、
前記表示制御手段により一覧表示された各画像を保存するか否かを選択させる保存選択手段を備える
ことを特徴とする撮影装置。
【発明の詳細な説明】
【技術分野】
【０００１】
本発明は、撮像手段により被写体像を撮像する時に被写体を照明する光源を備えた撮影装置に関する。
【背景技術】
【０００２】
従来、この種の撮影装置としては、例えば、特許文献１に開示されたデジタルカメラがある。このデジタルカメラを用いて、文字列“フラッシュ禁止”が記載された撮影条件記録用紙を被写体とし、シャッタボタンを半押しすると、“フラッシュ禁止”が文字認識されて、フラッシュを発光しない設定がデジタルカメラに自動的に設定される。次に、シャッタボタンを全押しすると、設定されたこの撮影条件に基づいて、つまりフラッシュを発光しない撮影条件で、撮影が行われる。
【先行技術文献】
【特許文献】
【０００３】
【特許文献１】特開２００４−６４３８６号公報
【発明の概要】
【発明が解決しようとする課題】
【０００４】
しかしながら、特許文献１に開示された従来のデジタルカメラでは、フラッシュ禁止の場所で撮影する場合、デジタルカメラのフラッシュの発光が上記のように禁止される設定になっても、デジタルカメラの背面モニタなどから光が漏れてしまう。このため、フラッシュ禁止で、かつ、ファインダーから覗いての撮影しか認められないような撮影条件の厳しい場所では、デジタルカメラを用いた撮影に気兼ねし、思った通りの撮影ができない場合がある。また、フラッシュ禁止の場所で撮影する場合、被写体によってはより暗い状態で撮影したい場合もある。
【課題を解決するための手段】
【０００５】
本発明はこのような課題を解決するためになされたもので、被写体像を撮像する撮像手段と、撮像手段により被写体像を撮像する時に被写体を照明する光源と、光源および光源以外の光を発する所定の発光部の発光を禁止させる設定をする設定手段と、設定手段の設定に応じて光源および所定の発光部の発光を禁止させる制御を行う発光制御手段とを備えて、撮影装置を構成した。
【０００６】
本構成によれば、設定手段の設定に応じて、発光制御手段により、光源および所定の発光部の発光を禁止させる制御が行われる。このため、フラッシュ禁止で、かつ、ファインダーから覗いての撮影しか認められないような撮影条件の厳しい場所であっても、設定手段により光源および所定の発光部の発光を禁止させる設定が行われることで、撮影装置からの発光が可能な限り抑えられるので、撮影装置を用いた撮影を気兼ねなく、思った通りに行えるようになる。また、フラッシュ禁止の場所で撮影する場合、被写体に応じて、より暗い状態で撮影することが可能になる。
【０００７】
また、本発明は、発光制御手段が、予め登録された所定の画像と撮像手段により撮像される画像とが一致した場合に上記制御を行うことを特徴とする。
【０００８】
本構成によれば、予め登録された所定の画像と撮像手段により撮像される画像とが一致した場合に、光源および所定の発光部の発光を禁止させる上記制御が発光制御手段によって行われる。このため、撮影者は、フラッシュ撮影禁止画像等の所定の画像を予め撮影装置に登録しておくことにより、撮像手段により撮像される画像が予め登録した所定の画像と一致した場合に、撮影装置によって自動的に、光源および所定の発光部の発光を禁止させる制御が行われるため、光源および所定の発光部の発光を禁止させる設定を設定手段により手動でする手間が省けて、利便性が向上する。
【０００９】
また、本発明は、音声を集音する集音手段を備え、発光制御手段が、予め登録された所定の情報と集音手段により集音される音声の情報とが一致した場合に上記制御を行うことを特徴とする。
【００１０】
本構成によれば、予め登録された所定の情報と集音手段により集音される音声の情報とが一致した場合に、光源および所定の発光部の発光を禁止させる上記制御が発光制御手段によって行われる。このため、撮影者は、フラッシュ撮影禁止等の所定の情報を予め撮影装置に登録しておくことにより、集音手段により集音される音声の情報が予め登録した所定の情報と一致した場合に、撮影装置によって自動的に、光源および所定の発光部の発光を禁止させる制御が行われるため、光源および所定の発光部の発光を禁止させる設定を設定手段により手動でする手間が省けて、利便性が向上する。
【００１１】
また、本発明は、測位用衛星から測位信号を受信して測位する測位手段を備え、発光制御手段が、予め登録された位置情報と測位手段により測位された位置情報とが一致した場合に上記制御を行うことを特徴とする。
【００１２】
本構成によれば、予め登録された位置情報と測位手段により測位された位置情報とが一致した場合に、光源および所定の発光部の発光を禁止させる上記制御が発光制御手段によって行われる。このため、撮影者は、フラッシュ撮影禁止場所等の位置情報を予め撮影装置に登録しておくことにより、測位手段により測位された位置情報が予め登録した位置情報と一致した場合に、撮影装置によって自動的に、光源および所定の発光部の発光を禁止させる制御が行われるため、光源および所定の発光部の発光を禁止させる設定を設定手段により手動でする手間が省けて、利便性が向上する。
【００１３】
また、本発明は、周囲の明るさを測定する測光部を備え、発光制御手段が、測光部により測定される明るさが所定値以下の場合に上記制御を行うことを特徴とする。
【００１４】
本構成によれば、測光部により測定される明るさが所定値以下の場合に、光源および所定の発光部の発光を禁止させる上記制御が発光制御手段によって行われる。このため、測光部により測定される明るさが所定値を越える明るい場所において、撮影装置によって自動的に、光源および所定の発光部の発光を禁止させる制御が不用意に行われなくなる。
【００１５】
また、本発明は、測光部により測定される明るさに応じた撮影条件を設定する撮影条件設定手段を備えることを特徴とする。
【００１６】
本構成によれば、測光部により測定される明るさに応じた撮影条件が撮影条件設定手段によって自動的に設定される。このため、周囲の明るさに応じて撮影条件を設定することが苦手な初心者でも、撮影条件設定手段により自動的に周囲の明るさに応じた撮影条件が設定されるため、光源および所定の発光部の発光が禁止された際に、習熟を必要とせずに、周囲の明るさに応じた撮影条件により画像を撮影することが可能になる。
【００１７】
また、本発明は、撮像手段により撮像される被写体像を表示する表示手段を備え、設定手段による上記設定が解除された場合に、発光制御手段による上記制御が行われた状態において撮像手段によって撮像された画像を表示手段に表示させる表示制御手段を備えることを特徴とする。
【００１８】
本構成によれば、光源および所定の発光部の発光を禁止させる上記設定が設定手段によって解除された場合に、発光制御手段による光源および所定の発光部の発光を禁止させる上記制御が行われた状態において撮像手段によって撮像された画像が、表示制御手段によって表示手段に表示される。このため、光源および所定の発光部の発光が禁止された状態において撮像手段によって撮像した画像が、手振れなどの原因で生じた、所望の構図と異なる失敗画像であるか否かを、表示手段に表示された撮像画像を見ることで、直ぐに確認し、また失敗画像に対する対策を取ることができて、便利である。
【００１９】
また、本発明は、表示制御手段が、画像を表示手段に一覧表示し、表示制御手段により一覧表示された各画像を保存するか否かを選択させる保存選択手段を備えることを特徴とする。
【００２０】
本構成によれば、光源および所定の発光部の発光が禁止された状態において撮像手段によって撮像された画像が、表示制御手段によって表示手段に一覧表示され、一覧表示された各画像を保存するか否かが保存選択手段によって選択される。このため、表示制御手段により一覧表示された各画像を比較して、成功した画像と失敗した画像を見分けることができ、光源および所定の発光部の発光が禁止された状態において撮像手段によって撮像された画像に失敗画像が存在しても、保存選択手段を用いて、一覧表示された画像の中の失敗画像を保存せずに削除することができ、その場で不要な画像を整理できる。
【発明の効果】
【００２１】
本発明による撮影装置によれば、上記のように、フラッシュ禁止で、かつ、ファインダーから覗いての撮影しか認められないような撮影条件の厳しい場所であっても、設定手段により光源および所定の発光部の発光を禁止させる設定が行われることで、撮影装置からの発光が可能な限り抑えられるので、撮影装置を用いた撮影を気兼ねなく、思った通りに行えるようになる。また、フラッシュ禁止の場所で撮影する場合、被写体に応じて、より暗い状態で撮影することが可能になる。
【図面の簡単な説明】
【００２２】
【図１】本発明の一実施の形態によるデジタルカメラの構成の概略を示すブロック図である。
【図２】図１に示すデジタルカメラで手動により暗時フラッシュ禁止モードを設定して行われる撮影処理の概略を示すフローチャートである。
【図３】図１に示すデジタルカメラで、自動により暗時フラッシュ禁止モードが設定されて行われる撮影処理の概略を示すフローチャートである。
【図４】図１に示すデジタルカメラに予め登録されるフラッシュ撮影禁止画像を示す図である。
【図５】図１に示すデジタルカメラの変形例において、暗時フラッシュ禁止モードがＯＮの状態で撮影された画像が一覧表示された表示部を示す図である。
【発明を実施するための形態】
【００２３】
次に、本発明による撮像装置をデジタルカメラに適用した場合における、本発明を実施するための一形態について説明する。
【００２４】
図１は、この一実施の形態によるデジタルカメラ１の構成の概略を示すブロック図である。
【００２５】
デジタルカメラ１は、交換レンズユニット２と本体３とから構成されている。本体３の外側には、撮影時に操作されるシャッターボタン９と、デジタルカメラ１の各種の設定条件や撮影結果などを表示するＴＦＴ（Thin Film Transistor）液晶からなる表示部１０と、被写体を照明するフラッシュ３２とが設けられている。また、デジタルカメラ１は、図示しない電源スイッチ、撮影モードダイアル、および、メインコマンドダイアルなどを備えている。撮影モードダイアルは、遠景撮影や接写撮影、通常撮影といった撮影モードの選択などの際に操作される。メインコマンドダイアルは、撮影時の露出やシャッタースピードなどの撮影条件の設定の際に操作される。また、デジタルカメラ１は、図示しないメニューボタン、マルチセレクタ、および、決定ボタンなども備えている。メニューボタンは、表示部１０に設定メニュー画面を表示させる際、マルチセレクタは、表示部１０に表示されるメニュー項目を選択する際などに操作される。決定ボタンは、マルチセレクタの操作によって選択されたメニュー項目などを決定させる際に操作される。
【００２６】
交換レンズユニット２は、本体３に着脱自在に構成されており、光学系を構成するレンズ５に加えて絞り６を備えている。また、この交換レンズユニット２には、レンズ５の焦点合わせをすると共に、絞り６を駆動するレンズ・絞り用駆動モータ７が設けられており、また、レンズ５の位置を認識するためのエンコーダ４が設けられている。また、このレンズ・絞り用駆動モータ７を駆動制御するためのレンズ・絞り用駆動制御回路８や、交換レンズユニット２の焦点距離、開放Ｆナンバー等のレンズ情報が記録された、図示しない記憶回路も設けられている。
【００２７】
本体３の内部には、各回路の動作を司るＣＰＵ（Central Processing Unit）１１が設けられている。ＣＰＵ１１には、ＣＰＵ１１が種々の制御を行う際に参照される制御プログラムなどが格納された不揮発性メモリ３１が接続されている。被写体光はレンズ５を通って本体３内に入射し、クイックリターンミラー１２により反射される。レンズ５を通ってできる画像は上下左右が逆さまになっているが、被写体光がクイックリターンミラー１２で反射することで、上下が正常な向きになる。クイックリターンミラー１２で反射した被写体光はさらにペンタプリズム１３で反射させられることで、左右も正常な向きとなり、撮影者はファインダー１６を介して被写体像を正位像として見ることができる。ペンタプリズム１３を通過した光の一部はハーフミラー１４によって反射され、測光部１５によって検出される。測光部１５は照度センサを備えて構成され、周囲の明るさを測定する。ＣＰＵ１１は、この測光部１５で検出した被写体光量に基づいて、レンズ・絞り用駆動制御回路８によってレンズ・絞り用駆動モーター７を駆動させ、絞り６の開口量を調節する。これにより、ＣＣＤ（Charge Coupled Devices）などからなる撮像素子１８に投影される被写体像の光量が、調節される。
【００２８】
また、クイックリターンミラー１２で反射されずにこれを通過した被写体光は、クイックリターンミラー１２のサブミラー１２ａによって反射され、焦点検出装置２１によって検出される。ＣＰＵ１１は、焦点検出装置２１の検出結果に基づき、レンズ５による被写体光の焦点状態を検出する。そして、検出した被写体光の焦点状態、および、交換レンズユニット２の記憶回路から送出されてレンズ情報回路２０に記憶されているレンズ情報等に基づいて、レンズ・絞り用駆動制御回路８によってレンズ・絞り用駆動モーター７を駆動させ、レンズ５を移動して、撮像素子１８に投影される被写体像の焦点を合わせる調節を行う。
【００２９】
デジタルカメラ１の撮影者がファインダー１６を介して被写体像を見ながら、シャッターボタン９を押すと、ＣＰＵ１１がこれを検出し、シャッター１７の幕を開く。ＣＰＵ１１は、さらに、レンズ５および絞り６を通過した被写体光によって撮像素子１８に得られる像を、撮像素子駆動回路１９によって撮像する。撮像素子１８および撮像素子駆動回路１９は、レンズ５で構成される光学系によって被写体光を集光して被写体像を撮像する撮像手段を構成している。また、フラッシュ３２は、図示していないがＣＰＵ１１に接続されており、撮像手段により被写体像を撮像する時にＣＰＵ１１から信号を受信して被写体を照明する光源を構成している。撮像素子駆動回路１９によって撮像された被写体像は、ＣＰＵ１１により、撮像信号として画像処理回路２８へ出力される。画像処理回路２８は、入力された撮像信号に対して所定のアナログ信号処理を施した後、デジタル信号に変換し、ホワイトバランス処理やガンマ補正といった所定の画像処理を行う。画像処理回路２８で画像処理された画像データは、ＣＰＵ１１の制御によってＲＡＭ（Random Access Memory）で構成される画像メモリ２９に一旦記録され、画像圧縮部３０によって圧縮される。
【００３０】
画像圧縮部３０で圧縮された画像データは、画像表示回路２７によって表示部１０に表示されると共に、カードインターフェイス２５の制御の下、記憶媒体を構成する不揮発性メモリからなるメモリーカード２６に格納される。表示部１０は、撮像手段により撮像される被写体像を表示する表示手段を構成している。カードインターフェイス２５は、ＣＰＵ１１によって制御され、メモリーカード２６に対する画像データの書き込みおよび読み出しの制御を行う。また、本体３の前面に集音部が向けられてマイク２４が設けられており、マイク２４には、ＣＰＵ１１によって制御される音声処理回路２３が接続されている。マイク２４は、音声を集音する集音手段を構成している。
【００３１】
また、本体３の内部にはＧＰＳ（全地球測位システム）モジュール３３が設けられている。ＧＰＳモジュール３３は、測位用衛星であるＧＰＳ衛星から測位信号を受信してデジタルカメラ１の位置を測位する測位手段を構成し、受信した測位信号からデジタルカメラ１の位置情報が取得される。また、本体３には不図示のＡＦ（オートフォーカス）補助光発光部が設けられており、暗い場所において、被写体の光が弱くて焦点検出装置２１によってピント合わせるのに必要な光量を確保できず、ＡＦピント合わせができない場合、ＡＦ補助光発光部によって被写体にＡＦ補助光を当てることにより、ＡＦピント合わせが行われる。また、本実施形態では、撮影者のメニューボタンの操作によって表示部１０にメニュー画面を表示させ、このメニュー画面においてマルチセレクタ、決定ボタンを操作することにより、フラッシュ３２およびフラッシュ３２以外の光を発する所定の発光部、例えば、表示部１０やＡＦ補助光発光部の発光を禁止させる暗時フラッシュ禁止モードの設定を行うことができる。メニューボタン、マルチセレクタ、および決定ボタンは、フラッシュ３２およびフラッシュ３２以外の光を発する所定の発光部の発光を禁止させる設定をする設定手段を構成し、ＣＰＵ１１は、設定手段の設定に応じてフラッシュ３２および所定の発光部の発光を禁止させる制御を行う発光制御手段を構成している。
【００３２】
図２は、図１に示すデジタルカメラ１で手動により暗時フラッシュ禁止モードを設定して行われる撮影処理の概略を示すフローチャートである。
【００３３】
フラッシュ禁止で、かつ、ファインダー１６から覗いての撮影しか認められないような撮影条件の厳しい場所で撮影する場合、撮影者は、ステップ（以下、Ｓと記す）１において、メニューボタン、マルチセレクタ、および決定ボタンを用いて手動で、上記のようにメニュー画面で暗時フラッシュ禁止モードの設定をＯＮにする。暗時フラッシュ禁止モードの設定がＯＮにされると、ＣＰＵ１１は、Ｓ２において、フラッシュ３２および所定の発光部の発光を禁止させる制御を行う。具体的には、フラッシュ３２およびＡＦ補助光発光部の発光を禁止させると共に、表示部１０において、撮像素子１８によって撮像される被写体像であるスルー画像の表示や撮影後の撮影画像の確認表示を禁止させる。なお、通常撮影時に極く少量の光を発光する所定の発光部以外の発光部、例えば、電源がＯＮであることを示す不図示の電源表示ランプなどは、暗時フラッシュ禁止モードがＯＮの場合でも、発光を禁止せずに発光するようにしてもよい。次に、ＣＰＵ１１は、Ｓ３において、暗所でも最適な露出の撮影画像を得る撮影を行うため、ＩＳＯ（International Organization for Standardization）感度、絞り、およびシャッタースピードを、測光部１５で検出した被写体光量に応じた適切な値の撮影条件に設定する。ＣＰＵ１１は、測光部１５により測定される明るさに応じた撮影条件を設定する撮影条件設定手段を構成する。また、ＣＰＵ１１は、Ｓ２でＡＦ補助光の発光を禁止したので、デジタルカメラ１の設定を、手動でピントを合わせるマニュアルＡＦへ変更する。
【００３４】
次に、暗時フラッシュ禁止モードがＯＮの状態で、撮影者がシャッターボタン９を押すと、ＣＰＵ１１は、Ｓ４において、被写体像の撮影処理を行う。次に、ＣＰＵ１１は、Ｓ５において、メニューボタン、マルチセレクタ、および決定ボタンの操作により撮影者が手動で暗時フラッシュ禁止モードをＯＦＦ（解除）したか否かを判別する。撮影者が暗時フラッシュ禁止モードを解除しておらず、Ｓ５の判別が“ＮＯ”の場合、ＣＰＵ１１は、Ｓ２の処理に戻り、フラッシュ３２および所定の発光部の発光を禁止させる状態を維持する。一方、撮影者が暗時フラッシュ禁止モードを解除し、Ｓ５の判別が“ＹＥＳ”の場合、ＣＰＵ１１は、Ｓ６において、暗時フラッシュ禁止モードがＯＮの状態でＳ４において撮影された画像を、表示部１０に順次表示する。ＣＰＵ１１は、設定手段による暗時フラッシュ禁止モードの設定が解除された場合に、フラッシュ３２および所定の発光部の発光を禁止させる発光制御手段による制御が行われた状態において撮像手段によって撮像された画像を表示部１０に表示させる表示制御手段を構成する。なお、本実施形態のようにデジタルカメラ１が一眼レフ式ではなく、電子ビューファインダ搭載のコンパクトデジタルステルカメラの場合、撮影後の画像を電子ビューファインダに順次表示させる構成であってもよい。このＳ６の処理の後、通常の撮影処理が行われる。
【００３５】
上述した図２では、暗時フラッシュ禁止モードが手動により設定されたが、本実施形態では、メニューボタン、マルチセレクタ、および決定ボタンを用いて予め不図示のメニュー画面で設定をすることにより、自動的に暗時フラッシュ禁止モードが設定される。図３は、図１に示すデジタルカメラ１で、自動により暗時フラッシュ禁止モードが設定されて行われる撮影処理の概略を示すフローチャートである。
【００３６】
この場合、ＣＰＵ１１は、Ｓ１１において、測光部１５が測定した被写体の光量から、デジタルカメラ１の周囲の明るさが閾値以下であるか否かを判別する。デジタルカメラ１の周囲が明るくてその明るさが閾値より大きく、Ｓ１１の判別が“ＮＯ”の場合、本撮影処理は終了し、通常の撮影処理が行われる。一方、デジタルカメラ１の周囲が暗くてその明るさが閾値以下で、Ｓ１１の判別が“ＹＥＳ”の場合、ＣＰＵ１１は、Ｓ１２において、撮像素子１８で撮像された被写体のスルー画像を取得する。次に、ＣＰＵ１１は、Ｓ１３において、Ｓ１２で取得したスルー画像がフラッシュ撮影禁止画像４０と一致するか否かを判別する。ここで、フラッシュ撮影禁止画像４０とは、例えば図４に示すような画像であり、このようなフラッシュ撮影禁止画像４０を撮影者が予めデジタルカメラ１に登録し、不揮発性メモリ３１などに記憶させておく。取得したスルー画像とフラッシュ撮影禁止画像４０とが一致せず、Ｓ１３の判別が“ＮＯ”の場合、ＣＰＵ１１は、Ｓ１４において、マイク２４を介して外部の音声情報を取得する。次に、ＣＰＵ１１は、Ｓ１５において、取得した音声情報とフラッシュ撮影禁止データとが一致するか否かを判別する。フラッシュ撮影禁止データは、予め撮影者がデジタルカメラ１に登録して不揮発性メモリ３１などに記憶させておいた、例えば、「フラッシュ撮影禁止」等の文字データ情報から成る。取得した音声情報とフラッシュ撮影禁止データとが一致せず、S１５の判別が“ＮＯ”の場合、ＣＰＵ１１は、Ｓ１６において、ＧＰＳモジュール３３が受信した測位信号からデジタルカメラ１の位置情報を取得する。次に、ＣＰＵ１１は、Ｓ１７において、取得したＧＰＳ情報と登録情報とが一致するか否かを判別する。登録情報は、撮影者が予めデジタルカメラ１に登録して不揮発性メモリ３１などに記憶させておいた、フラッシュ撮影禁止場所の位置情報である。取得したＧＰＳ情報と登録情報とが一致せず、Ｓ１７の判別が“ＮＯ”の場合、本撮影処理は終了し、通常の撮影処理が行われる。
【００３７】
一方、Ｓ１２で取得したスルー画像がフラッシュ撮影禁止画像と一致した場合、例えば、予め登録した図４のフラッシュ撮影禁止画像４０が表示部１０にスルー画像として表示された場合、Ｓ１３の判別は“ＹＥＳ”となる。予め登録された所定の画像であるフラッシュ撮影禁止画像４０と撮像手段により撮像される画像とが一致したこの場合、ＣＰＵ１１は、Ｓ１８において、暗時フラッシュ禁止モードをＯＮにする。また、Ｓ１４で取得した音声情報とフラッシュ撮影禁止データとが一致した場合、例えば、フラッシュ撮影禁止の場所で、係員が「フラッシュ撮影禁止」と発声して注意を促し、ＣＰＵ１１によって、「フラッシュ撮影禁止」の発声が音声認識された場合、Ｓ１５の判別は“ＹＥＳ”となる。また、係員が注意を促しておらず、フラッシュ撮影禁止の看板のみが表示されている場合に、撮影者が「フラッシュ撮影禁止」と発声することにより、同様に、Ｓ１５の判別は“ＹＥＳ”となる。予め登録された所定の情報であるフラッシュ撮影禁止データとマイク２４により集音される音声の情報とが一致したこの場合、ＣＰＵ１１は、Ｓ１８において、暗時フラッシュ禁止モードをＯＮにする。また、Ｓ１６で取得したＧＰＳ情報と登録情報とが一致し、Ｓ１７の判別が“ＹＥＳ”の場合、例えば、撮影者が予め登録したフラッシュ撮影禁止の場所に、デジタルカメラ１を所持する撮影者が移動した場合には、Ｓ１７の判別が“ＹＥＳ”となる。予め登録された位置情報と測位手段により測位された位置情報とが一致したこの場合、ＣＰＵ１１は、Ｓ１８において、暗時フラッシュ禁止モードをＯＮにする。暗時フラッシュ禁止モードをＯＮにすると、発光制御手段を構成するＣＰＵ１１は、Ｓ１９において、図２において上述したＳ２と同様に、フラッシュ３２および所定の発光部の発光を禁止させる制御を行う。このようにＣＰＵ１１は、測光部１５により測定される明るさが所定値以下でＳ１１の制御が“ＹＥＳ”の場合に、フラッシュ３２および所定の発光部の発光を禁止させる制御をＳ１９で行うことになる。
【００３８】
次に、ＣＰＵ１１は、図２において上述したＳ３およびＳ４と同様に、Ｓ２０およびＳ２１において、撮影条件を設定し、暗時フラッシュ禁止モードがＯＮの状態で撮影処理を行う。次に、ＣＰＵ１１は、Ｓ２２において、測光部１５で測光される明るさが閾値以上であるか否かを判別する。周囲の明るさが閾値以下であり、Ｓ２２の判別が“ＮＯ”の場合、ＣＰＵ１１はＳ１９の処理の戻る。一方、例えば、撮影者が明るい場所に移動してデジタルカメラ１の周囲が明るくなり、その明るさが閾値以上で、Ｓ２２の判別が“ＹＥＳ”の場合、ＣＰＵ１１は、Ｓ２３において、暗時フラッシュ禁止モードを解除する。次に、ＣＰＵ１１は、Ｓ２４において、暗時フラッシュ禁止モードがＯＮの状態で上述したＳ２１において撮影された画像を、図２のＳ６と同様に、表示部１０に順次表示する。このＳ２４の処理の後、ＣＰＵ１１は本撮影処理を終了し、通常の撮影処理を行う。
【００３９】
このような本実施形態によるデジタルカメラ１によれば、図２、Ｓ１で手動により、または、図３、Ｓ１８で自動により行われる設定手段の暗時フラッシュ禁止モードの設定に応じて、発光制御手段により、フラッシュ３２および所定の発光部の発光を禁止させる制御が、図２、Ｓ２または図３、Ｓ１９で行われる。このため、フラッシュ禁止で、かつ、ファインダー１６から覗いての撮影しか認められないような撮影条件の厳しい場所であっても、設定手段によりフラッシュ３２および所定の発光部の発光を禁止させる設定が行われることで、デジタルカメラ１からの発光が可能な限り抑えられるので、デジタルカメラ１を用いた撮影を気兼ねなく、思った通りに行えるようになる。また、フラッシュ禁止の場所で撮影する場合、被写体に応じて、より暗い状態で撮影することが可能になる。
【００４０】
また、本実施形態によるデジタルカメラ１によれば、予め登録された所定の画像と撮像手段により撮像される画像とが一致し、図３、Ｓ１３の判別が“ＹＥＳ”の場合に、フラッシュ３２および所定の発光部の発光を禁止させる制御が図３、Ｓ１９で発光制御手段によって行われる。このため、撮影者は、フラッシュ撮影禁止画像４０等の所定の画像を予めデジタルカメラ１に登録しておくことにより、撮像手段により撮像される画像が予め登録した所定の画像と一致した場合に、デジタルカメラ１によって自動的に、フラッシュ３２および所定の発光部の発光を禁止させる制御が行われるため、フラッシュ３２および所定の発光部の発光を禁止させる設定を設定手段により手動でする手間が省けて、利便性が向上する。
【００４１】
また、本実施形態によるデジタルカメラ１によれば、予め登録された所定の情報とマイク２４により集音される音声の情報とが一致し、図３、Ｓ１５の判別が“ＹＥＳ”の場合に、フラッシュ３２および所定の発光部の発光を禁止させる制御が図３、Ｓ１９で発光制御手段によって行われる。このため、撮影者は、フラッシュ撮影禁止等の所定の情報を予めデジタルカメラ１に登録しておくことにより、マイク２４により集音される音声の情報が予め登録した所定の情報と一致した場合に、デジタルカメラ１によって自動的に、フラッシュ３２および所定の発光部の発光を禁止させる制御が行われるため、フラッシュ３２および所定の発光部の発光を禁止させる設定を設定手段により手動でする手間が省けて、利便性が向上する。
【００４２】
また、本実施形態によるデジタルカメラ１によれば、予め登録された位置情報とＧＰＳモジュール３３により測位された位置情報とが一致し、図３、Ｓ１７の判別が“ＹＥＳ”の場合に、フラッシュ３２および所定の発光部の発光を禁止させる制御が図３、Ｓ１９で発光制御手段によって行われる。このため、撮影者は、フラッシュ撮影禁止場所等の位置情報を予めデジタルカメラ１に登録しておくことにより、ＧＰＳモジュール３３により測位された位置情報が予め登録した位置情報と一致した場合に、デジタルカメラ１によって自動的に、フラッシュ３２および所定の発光部の発光を禁止させる制御が行われるため、フラッシュ３２および所定の発光部の発光を禁止させる設定を設定手段により手動でする手間が省けて、利便性が向上する。
【００４３】
また、本実施形態によるデジタルカメラ１によれば、測光部１５により測定される明るさが所定値以下で図３、Ｓ１１の判別が“ＹＥＳ”の場合に、フラッシュ３２および所定の発光部の発光を禁止させる制御が図３、Ｓ１９で発光制御手段によって行われる。このため、測光部１５により測定される明るさが所定値を越える明るい場所において、デジタルカメラ１によって自動的に、フラッシュ３２および所定の発光部の発光を禁止させる制御が不用意に行われなくなる。
【００４４】
また、本実施形態によるデジタルカメラ１によれば、測光部１５により測定される明るさに応じた撮影条件が、図２、Ｓ３または図３、Ｓ２０で撮影条件設定手段によって自動的に設定される。このため、デジタルカメラ１の周囲の明るさに応じて撮影条件を設定することが苦手な初心者でも、撮影条件設定手段により自動的に周囲の明るさに応じた撮影条件が設定されるため、フラッシュ３２および所定の発光部の発光が禁止された際に、習熟を必要とせずに、デジタルカメラ１の周囲の明るさに応じた撮影条件により画像を撮影することが可能になる。
【００４５】
また、本実施形態によるデジタルカメラ１によれば、フラッシュ３２および所定の発光部の発光を禁止させる暗時フラッシュ禁止モードの設定が、図２，Ｓ５で手動により、または図３、Ｓ２３で自動により設定手段によって解除された場合に、発光制御手段によるフラッシュ３２および所定の発光部の発光を禁止させる制御が行われた状態において撮像手段によって撮像された画像が、図２、Ｓ６または図３、Ｓ２４で表示制御手段によって表示部１０に表示される。このため、フラッシュ３２および所定の発光部の発光が禁止された状態において撮像手段によって撮像した画像が、手振れなどの原因で生じた、所望の構図と異なる失敗画像であるか否かを、表示部１０に表示された撮像画像を見ることで、直ぐに確認し、また失敗画像に対する対策を取ることができて、便利である。
【００４６】
なお、上述した実施形態では、表示制御手段を構成するＣＰＵ１１が、暗時フラッシュ禁止モードがＯＮの状態で撮影された画像を、表示部１０に順次表示する構成であったが、暗時フラッシュ禁止モードがＯＮの状態で撮影された画像を表示部１０に一覧表示する構成であってもよい。
【００４７】
図５は、図１に示すデジタルカメラ１のこの変形例の構成において、暗時フラッシュ禁止モードがＯＮの状態で撮影された画像４１、４２、４３、４４が一覧表示された表示部１０を示す図である。
【００４８】
表示部１０には、暗時フラッシュ禁止モードがＯＮの状態で撮影された画像４１〜４４が４枚一覧表示されている。また、各画像４１、４２、４３、４４の左上にはチェックボックス４１ａ、４２ａ、４３ａ、４４ａが表示されている。撮影者は、画像４２が手振れなどの原因で生じた、所望の構図と異なる失敗画像であると思った場合、同図に示すように、画像４２のチェックボックス４２ａに、マルチセレクタおよび決定ボタンを操作してチェックを付けることにより、ＣＰＵ１１によってこの画像４２が削除され、その他の画像４１、４３，４４はメモリーカード２６に保存される。マルチセレクタおよび決定ボタンは、表示制御手段により表示部１０に一覧表示された各画像４１〜４４を保存するか否かを選択させる保存選択手段を構成する。なお、画像４１〜４４のチェックボックス４１ａ〜４４ａにチェックを付けることにより、チェックを付けた画像４１〜４４を削除するのではなく、チェックを付けた画像４１〜４４のみを保存する構成であってもよい。
【００４９】
このような変形例によるデジタルカメラ１によれば、フラッシュ３２および所定の発光部の発光が禁止された状態において撮像手段によって撮像された画像４１〜４４が、表示制御手段によって表示部１０に一覧表示され、一覧表示された各画像４１〜４４を保存するか否かが保存選択手段によって選択される。このため、表示制御手段により一覧表示された各画像４１〜４４を比較して、成功した画像４１、４３，４４と失敗した画像４２を見分けることができ、フラッシュ３２および所定の発光部の発光が禁止された状態において撮像手段によって撮像された画像４１〜４４に失敗画像４２が存在しても、保存選択手段を用いて、一覧表示された画像の中の失敗画像４２を保存せずに削除することができ、その場で不要な画像を整理できる。
【００５０】
また、本実施形態では、暗時フラッシュ禁止モードがＯＮの状態でフラッシュ３２および所定の発光部の発光を禁止する構成であったが、フラッシュ３２および所定の発光部が発光する明るさをデジタルカメラ１の周囲または撮影に影響がない程度に低減させる構成であってもよい。
【００５１】
また、本実施形態では、フラッシュ３２および所定の発光部の発光を禁止させる設定をする設定手段をマルチセレクタおよび決定ボタンで構成したが、専用の設定ボタンを設定手段として設けるように構成してもよい。
【００５２】
また、コンパクトデジタルスチルカメラなどでファインダーがないカメラの場合には、背面の表示部にスルー画像が表示されなくても撮影が行える構成とすることにより、暗時フラッシュ禁止モードがＯＮに設定された場合、本実施形態と同様に、フラッシュおよび背面の表示部を含む所定の発光部の発光を禁止して撮影することができ、本実施形態と同様な作用効果が奏される。
【産業上の利用可能性】
【００５３】
上記実施形態においては、本発明の撮影装置をデジタルカメラに適用した場合について説明したが、ビデオカメラや、携帯電話機等に内蔵されるカメラ等の、フラッシュおよびその他の発光部を備えたその他の撮影装置にも適用することが可能である。このような撮影装置に本発明を適用した場合においても、上記実施形態と同様な作用効果が奏される。
【符号の説明】
【００５４】
１…デジタルカメラ
１０…表示部
１１…ＣＰＵ
１５…測光部
１８…撮像素子
１９…撮像素子駆動回路
２４…マイク
３２…フラッシュ
３３…ＧＰＳモジュール
４０…フラッシュ撮影禁止画像
４１〜４４…画像
４１ａ〜４４ａ…チェックボックス
【図１】
2011109497.tif 000003
【図２】
2011109497.tif 000004
【図３】
2011109497.tif 000005
【図４】
2011109497.tif 000006
【図５】
2011109497.tif 000007